(57)【要約】      （修正有）【課題】従来の挟み具では、被挟み物が円盤状や球状等の丸みをもった形状の場合に、挟み損なうことがよくある。素早く簡便に挟むことが可能な挟み具を提供する。【解決手段】第１指掛部５と第１挟み部６を備える第１棒状体、第２挟み部８を備える第２棒状多体、第３挟み部１０を備える第３棒状体及び第２指掛部を備える第４棒状体からなり、第１指掛部が第２指掛部に近づく方向に握ることで、三方向から被挟み物を挟むことが可能となるようにした。【選択図】図１
2008142828.tif 000002
【特許請求の範囲】
【請求項１】
中間付近に第１軸線、第２軸線及び第３軸線と、一端に第１指掛部と、他端に第１挟み部と、を備える第１棒状体と、
中間付近が前記第１軸線を中心に揺動可能に支持され、一端に第１作用部と、他端に第２挟み部と、を備える第２棒状体と、
中間付近が前記第２軸線を中心に揺動可能に支持され、一端に第２作用部と、他端に第３挟み部と、を備える第３棒状体と、
一端が前記第３軸線を中心に揺動可能に支持され、中間付近に前記第１作用部及び前記第２作用部に力を伝達可能な第３作用部と、他端に第２指掛部と、を備える第４棒状体と、
を備え、
前記第１軸線、前記第２軸線及び前記第３軸線はいずれも前記第１棒状体の長手方向に対して略垂直であり、
前記第１軸線、前記第２軸線及び前記第３軸線はそれぞれ前記第２棒状体、前記第３棒状体及び前記第４棒状体の長手方向に対して略垂直であり、
前記第１軸線及び前記第２軸線は平行ではなく、
前記第１指掛部が前記第２指掛部に近づく方向に前記第１指掛部及び前記第２指掛部を握ることで、前記第２挟み部及び前記第３挟み部はいずれも前記第１挟み部に近づく方向に移動する、
挟み具。
【請求項２】
中間付近に第１軸線、第２軸線及び第３軸線と、一端に第１指掛部と、他端に第１挟み部と、を備える第１棒状体と、
一端が前記第１軸線を中心に揺動可能に支持され、中間付近に第１作用部と、他端に第２挟み部と、を備える第２棒状体と、
一端が前記第２軸線を中心に揺動可能に支持され、中間付近に第２作用部と、他端に第３挟み部と、を備える第３棒状体と、
中間付近が前記第３軸線を中心に揺動可能に支持され、一端に前記第１作用部及び前記第２作用部に力を伝達可能な第３作用部と、他端に第２指掛部と、を備える第４棒状体と、
を備え、
前記第１軸線、前記第２軸線及び前記第３軸線はいずれも前記第１棒状体の長手方向に対して略垂直であり、
前記第１軸線、前記第２軸線及び前記第３軸線はそれぞれ前記第２棒状体、前記第３棒状体及び前記第４棒状体の長手方向に対して略垂直であり、
前記第１軸線及び前記第２軸線は平行ではなく、
前記第１指掛部が前記第２指掛部に近づく方向に前記第１指掛部及び前記第２指掛部を握ることで、前記第２挟み部及び前記第３挟み部はいずれも前記第１挟み部に近づく方向に移動する、
挟み具。
【請求項３】
前記第１作用部に、前記第１軸線に略垂直な第４軸線と、前記第４軸線を中心に回動可能な第１ローラーと、を備え、
前記第２作用部に、前記第２軸線に略垂直な第５軸線と、前記第５軸線を中心に回動可能な第２ローラーと、を備え、
前記第３作用部に、第１押圧面及び第２押圧面を備え、
前記第１押圧面及び前記第２押圧面はそれぞれ、前記第１ローラー及び前記第２ローラーに力を伝達可能である、
請求項１又は請求項２に記載の挟み具。
【請求項４】
前記第１作用部に、回動可能な第１ボールを備え、
前記第２作用部に、回動可能な第２ボールを備え、
前記第３作用部に、第１押圧面及び第２押圧面を備え、
前記第１押圧面及び前記第２押圧面はそれぞれ、前記第１ボール及び前記第２ボールに力を伝達可能である、
請求項１又は請求項２に記載の挟み具。
【発明の詳細な説明】
【技術分野】
【０００１】
本発明は、ニッパー、ペンチ等の、挟み具に関する。
【背景技術】
【０００２】
挟み具の中でもペンチやニッパーにおいては、特許文献１のように一対の棒状体の一端に設けられた一対の指掛部を握ることで、一対の棒状体の他端に設けられた一対の挟み部が閉じられるように、一対の棒状体の中間付近に揺動中心軸ピンが設けられるものが多い。
【０００３】
【特許文献１】特開２００２−３０７３１７号公報
【発明の開示】
【発明が解決しようとする課題】
【０００４】
従来の挟み具では、被挟み物が円盤状や球状等の丸みをもった形状の場合に、挟み損なうことがよくある。
素早く簡便に挟むことが可能な挟み具が望まれる。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
また、図２は図１の挟み具を線分A−Aで切断して矢印方向に見た断面図であり、軸線２０、軸線２３及び軸線２６を含む断面を表している。図４の挟み具の軸線２０、軸線２３及び軸線２６を含む断面も図２と同様であるので、図４の挟み具の説明においても図２を用いる。
【０００７】
発明１に係る挟み具は、例えば図１から図３のように、
中間付近に軸線２０、軸線２３及び軸線２６と、一端に指掛部５と、他端に挟み部６と、を備える棒状体１と、
中間付近が軸線２０を中心に揺動可能に支持され、一端に作用部７と、他端に挟み部８と、を備える棒状体２と、
中間付近が軸線２３を中心に揺動可能に支持され、一端に作用部９と、他端に挟み部１０と、を備える棒状体３と、
一端１７が軸線２６を中心に揺動可能に支持され、中間付近に作用部７及び作用部９に力を伝達可能な作用部３４と、他端に指掛部１１と、を備える棒状体４と、
を備え、
軸線２０、軸線２３及び軸線２６はいずれも棒状体１の長手方向に対して略垂直であり、
軸線２０、軸線２３及び軸線２６はそれぞれ棒状体２、棒状体３及び棒状体４の長手方向に対して略垂直であり、
軸線２０及び軸線２３は平行ではなく、
指掛部５が指掛部１１に近づく方向に指掛部５及び指掛部１１を握ることで、挟み部８及び挟み部１０はいずれも挟み部６に近づく方向に移動する、
挟み具である。
【０００８】
発明２に係る挟み具は、例えば図２、図４及び図５のように、
中間付近に軸線２０、軸線２３及び軸線２６と、一端に指掛部５と、他端に挟み部６と、を備える棒状体１と、
一端が軸線２０を中心に揺動可能に支持され、中間付近に作用部７と、他端に挟み部８と、を備える棒状体２と、
一端が軸線２３を中心に揺動可能に支持され、中間付近に作用部９と、他端に挟み部１０と、を備える棒状体３と、
中間付近が軸線２６を中心に揺動可能に支持され、一端１７に作用部７及び作用部９に力を伝達可能な作用部３４と、他端に指掛部１１と、を備える棒状体４と、
を備え、
軸線２０、軸線２３及び軸線２６はいずれも棒状体１の長手方向に対して略垂直であり、
軸線２０、軸線２３及び軸線２６はそれぞれ棒状体２、棒状体３及び棒状体４の長手方向に対して略垂直であり、
軸線２０及び軸線２３は平行ではなく、
指掛部５が指掛部１１に近づく方向に指掛部５及び指掛部１１を握ることで、挟み部８及び挟み部１０はいずれも挟み部６に近づく方向に移動する、
挟み具である。
【０００９】
発明３に係る挟み具は、発明１又は発明２の挟み具において、例えば図１から図３のように、
作用部７に、軸線２０に略垂直な軸線１６と、軸線１６を中心に回動可能なローラー１４と、を備え、
作用部９に、軸線２３に略垂直な軸線３０と、軸線３０を中心に回動可能なローラー２９と、を備え、
作用部３４に、押圧面１２及び押圧面１３を備え、
押圧面１２及び押圧面１３はそれぞれ、ローラー１４及びローラー２９に力を伝達可能である、
挟み具である。
【００１０】
発明４に係る挟み具は、発明１又は発明２の挟み具において、例えば図５のように、
作用部７に、回動可能なボール３２を備え、
作用部９に、回動可能なボール３３を備え、
作用部３４に、押圧面１２及び押圧面１３を備え、
押圧面１２及び押圧面１３はそれぞれ、ボール３２及びボール３３に力を伝達可能である、
挟み具である。
【発明の効果】
【００１１】
以上のように本発明では、挟み部６、挟み部８及び挟み部１０が三方向から被挟み物を挟むことが可能となるので、被挟み物が円盤状や球状等の丸みをもった形状の場合でも安定し、素早く簡便に挟むことが可能となる。
【００１２】
また、発明３又は発明４によると、本発明の効果に加えて、作用部間の力の伝達効率を高めることが容易となる。
【発明を実施するための最良の形態】
【００１３】
〔第１実施形態〕
図１から図３において、棒状体１、棒状体２、棒状体３及び棒状体４はいずれも鋳鉄製である。
また、棒状体１は、中間付近にタブ１８、タブ２１及びタブ２４が一体成形されており、それぞれに軸線２０、軸線２３及び軸線２６をそれぞれ中心とする軸ピン１９、軸ピン２２及び軸ピン２５が隙間嵌合される。また、隙間嵌合された軸ピン１９、軸ピン２２及び軸ピン２５の両端はそれぞれ棒状体２、棒状体３及び棒状体４に開けられた穴に圧入嵌合されている。
また、軸線２０及び軸線２６のなす角、軸線２３及び軸線２６のなす角、軸線２０及び軸線２３のなす角はいずれもおよそ６０度である。ここで、軸線２０及び軸線２６のなす角、軸線２３及び軸線２６のなす角をおよそ等しくし、軸線２０及び軸線２３のなす角をおよそ６０度から９０度にするのが好ましい。
【００１４】
また、棒状体２の長手方向に沿うように設けられた軸線１６を中心とする軸部２８が棒状体２に一体成形されており、軸部２８を中心に回動可能な樽型の鋼鉄製ローラー１４が挿入されてから軸部２８の先端にＥリング１５が嵌められている。
また、棒状体３の長手方向に沿うように設けられた軸線３０を中心とする軸部３１が棒状体３に一体成形されており、軸部３１を中心に回動可能な樽型の鋼鉄製ローラー２９が挿入されてから軸部３１の先端にＥリングが嵌められている。
また、挟み部８及び挟み部１０がそれぞれ挟み部６から離れる方向に付勢する付勢部材、例えばネジリコイルバネ等が設けられるのが好ましい。
【００１５】
また、棒状体４の中間付近には貫通穴２７が設けられており、棒状体１が挿入されて貫通穴２７の内部で揺動可能となっている。
また、棒状体４の中間付近の作用部３４には、軸線１６及び軸線２０に略平行な押圧面１２と、軸線３０及び軸線２３に略平行な押圧面１３が一体成形されており、ローラー１４及びローラー２９はそれぞれ押圧面１２及び押圧面１３を転がることが可能である。
【００１６】
また、ローラーや押圧面を用いずに、作用部７及び作用部３４の間、及び作用部９及び作用部３４の間に鋼鉄製縒り線等の連結部材を架設し、作用部３４が作用部７及び作用部９を引っ張るようにして力を伝達しても良い。
【００１７】
また、挟み部６及び挟み部８、挟み部６及び挟み部１０、挟み部８及び挟み部１０に、それぞれ対向するように刃を設けても良い。
【００１８】
〔第２実施形態〕
図２、図４及び図５において、棒状体１、棒状体２、棒状体３及び棒状体４はいずれも鋳鉄製である。
また、棒状体１は、中間付近にタブ１８、タブ２１及びタブ２４が一体成形されており、それぞれに軸線２０、軸線２３及び軸線２６をそれぞれ中心とする軸ピン１９、軸ピン２２及び軸ピン２５が隙間嵌合される。また、隙間嵌合された軸ピン１９、軸ピン２２及び軸ピン２５の両端はそれぞれ棒状体２、棒状体３及び棒状体４に開けられた穴に圧入嵌合されている。
また、軸線２０及び軸線２６のなす角、軸線２３及び軸線２６のなす角、軸線２０及び軸線２３のなす角はいずれもおよそ６０度である。ここで、軸線２０及び軸線２６のなす角、軸線２３及び軸線２６のなす角をおよそ等しくし、軸線２０及び軸線２３のなす角をおよそ６０度から９０度にするのが好ましい。
【００１９】
また、棒状体２の中間付近に設けられた半球状の穴に鋼鉄製ボール３２が隙間嵌合されており、回動可能となっている。
また、棒状体３の中間付近に設けられた半球状の穴に鋼鉄製ボール３３が隙間嵌合されており、回動可能となっている。
また、挟み部８及び挟み部１０がそれぞれ挟み部６から離れる方向に付勢する付勢部材、例えばネジリコイルバネ等が設けられるのが好ましい。
【００２０】
また、棒状体４の中間付近には貫通穴２７が設けられており、棒状体１が挿入されて貫通穴２７の内部で揺動可能となっている。
また、棒状体４の一端１７の作用部３４には、軸線２０及び棒状体２の長手方向に略平行な押圧面１２と、軸線２３及び棒状体３の長手方向に略平行な押圧面１３が一体成形されており、ボール３２及びボール３３はそれぞれ押圧面１２及び押圧面１３を転がることが可能である。
【００２１】
また、ボールや押圧面を用いずに、作用部７及び作用部３４の間、及び作用部９及び作用部３４の間に鋼鉄製縒り線等の連結部材を架設し、作用部３４が作用部７及び作用部９を引っ張るようにして力を伝達しても良い。
【００２２】
また、挟み部６及び挟み部８、挟み部６及び挟み部１０、挟み部８及び挟み部１０に、それぞれ対向するように刃を設けても良い。
【図面の簡単な説明】
【００２３】
【図１】第１実施形態の挟み具の動作を２段階で表す図
【図２】第１実施形態を図１の線分A−Aで切断して矢印方向に見た断面図
【図３】第１実施形態を図１の線分Ｂ−Ｂで切断して矢印方向に見た断面図
【図４】第２実施形態の挟み具の動作を２段階で表す図
【図５】第２実施形態を図４の線分Ｃ−Ｃで切断して矢印方向に見た断面図
【符号の説明】
【００２４】
１,２,３,４.                                      棒状体
５,１１.                              指掛部
６,８,１０.                                       挟み部
７,９,３４.                                       作用部
１２,１３.                                        押圧面
１４,２９.                                        ローラー
１５.                                                 Ｅリング
１６,２０,２３,２６,３０.               軸線
１７.                                                一端
１８,２１,２４.                               タブ
１９,２２,２５.                                軸ピン
２７.                                                貫通穴
２８,３１.                                        軸部
３２,３３.                                        ボール
【図１】
2008142828.tif 000003
【図２】
2008142828.tif 000004
【図３】
2008142828.tif 000005
【図４】
2008142828.tif 000006
【図５】
2008142828.tif 000007